【手続補正書】
【提出日】平成18年2月13日(2006.2.13)
【手続補正１】
【補正対象書類名】明細書
【補正対象項目名】発明の名称
【補正方法】変更
【補正の内容】
【発明の名称】商品別情報の受信告知システム及び製品に関する情報の受信告知システム
【手続補正２】
【補正対象書類名】明細書
【補正対象項目名】特許請求の範囲
【補正方法】変更
【補正の内容】
【特許請求の範囲】
【請求項１】
ネットワーク上のユーザーが、「ネットワーク上のユーザーからは遠隔の店舗内において陳列されている『或る商品、又は、或る種類の商品』についての購入予約、注文、質問、問合せ、要望、又は感想」を含む情報を、ネットワークを介して店舗側に送信したとき、その情報を店舗側が前記『或る商品、又は、或る種類の商品』に対応するものとして受信するための受信手段と、
店舗内において『或る商品、又は、或る種類の商品』別にその表面又は近傍の位置に配置されている告知手段であって、前記ネットワーク上のユーザーからの前記『或る商品、又は、或る種類の商品』についての前記情報が発信されたこと又はそれが受信されたことを、その『或る商品、又は、或る種類の商品』の表面又は近傍において、店舗内の店員又は来店客に対して、「音響、音声、光、又は画面表示などの手段」により告知するための告知手段と、
前記ネットワーク上のユーザーからの前記『或る商品、又は、或る種類の商品』についての前記情報を受信したとき、その受信に基づいて、前記情報が発信されたこと又はそれが受信されたことを店舗内の店員又は来店客に告知するように、前記告知手段を制御するための告知制御手段と、
を含むことを特徴とする、商品別情報の受信告知システム。
【請求項２】
「ネットワーク上のユーザーからは遠隔の店舗内において陳列されている一つ又は複数の陳列商品を含む映像」を取得するための映像取得手段と、
前記映像取得手段が取得した前記映像を、ネットワークを介して、ネットワーク上のユーザーに提供するための映像提供手段と、
前記のネットワーク上のユーザーが、「前記提供された前記陳列商品の映像の中の『或る商品、又は、或る種類の商品』についての購入予約、注文、質問、問合せ、要望、又は感想」を含む情報を、ネットワークを介して店舗側に送信したとき、その情報を店舗側が前記『或る商品、又は、或る種類の商品』に対応するものとして受信するための受信手段と、
店舗内において『或る商品、又は、或る種類の商品』別にその表面又は近傍の位置に配置されている告知手段であって、前記ネットワーク上のユーザーから前記『或る商品、又は、或る種類の商品』についての前記情報が発信されたこと又はそれが受信されたことを、その『或る商品、又は、或る種類の商品』の表面又は近傍において、店舗内の店員又は来店客に対して、「音響、音声、光、又は画面表示などの手段」により告知するための告知手段と、
前記ネットワーク上のユーザーから前記『或る商品、又は、或る種類の商品』についての前記情報を受信したとき、その受信に基づいて、前記情報が発信されたこと又はそれが受信されたことを店舗内の店員又は来店客に告知するように、前記告知手段を制御するための告知制御手段と、
を含むことを特徴とする、商品別情報の受信告知システム。
【請求項３】
「ネットワーク上のユーザーからは遠隔の店舗内において陳列されている一つ又は複数の陳列商品を含む映像」を、店舗側からネットワーク経由で略リアルタイムに受信するための商品映像受信手段と、
ネットワーク上のユーザーが、「前記商品映像受信手段により提供された前記陳列商品の映像の中の『或る商品、又は、或る種類の商品』についての購入予約、注文、質問、問合せ、要望、又は感想」を含む情報を、ネットワークを介して前記店舗側に送信するための情報送信手段と、
前記店舗側が、前記ネットワーク上のユーザー側の前記情報送信手段から送信された前記『或る商品、又は、或る種類の商品』についての前記情報を受信したことに基づいて、店舗側において自動的に、そのことを、前記『或る商品、又は、或る種類の商品』別にその表面又は近傍の位置に配置されている告知手段により、店舗内の店員又は来店客に対して、「音響、音声、光、又は画面表示などの手段」により告知したとき、そのときの前記告知手段による告知内容とそれと関連する前記『或る商品、又は、或る種類の商品』とを含む映像を、遠隔の店舗側からネットワーク経由で略リアルタイムに受信するための告知映像受信手段と、
を含むことを特徴とする、商品別情報の受信告知システム。
【請求項４】
請求項３において、
前記ネットワーク上のユーザーが、画面に表示された前記店舗内の陳列商品の映像に基づいて、前記陳列商品の中の『或る商品、又は、或る種類の商品』を指定するための画面上指定手段を含み、
前記受信手段は、前記ネットワーク上のユーザーからの前記『或る商品、又は、或る種類の商品』についての前記情報を、ネットワーク上のユーザーが前記画面上指定手段により指定した『或る商品、又は、或る種類の商品』を識別するための商品識別情報と関連付けて受信するものである、ことを特徴とする、商品別情報の受信告知システム。
【請求項５】
請求項４において、
前記画面上指定手段は、画面に表示された前記陳列商品の映像の中の『或る商品、又は、或る種類の商品』の映像に含まれるコード又は文字を認識することにより、前記『或る商品、又は、或る種類の商品』の商品識別情報を取得するものである、ことを特徴とする、商品別情報の受信告知システム。
【請求項６】
請求項４において、
前記画面上指定手段は、前記ネットワーク上のユーザーが、画面に表示された前記陳列商品の映像の中の『或る商品、又は、或る種類の商品』の映像を画面上で閲覧しながら、店舗内に在る実際のレーザー光発生装置を遠隔制御して、前記店舗内に在る実際の『或る商品、又は、或る種類の商品』に向けて実際にレーザー光を照射させることにより、前記画面表示された映像中の『或る商品、又は、或る種類の商品』を画面上で指定するものである、ことを特徴とする、商品別情報の受信告知システム。
【請求項７】
「ユーザーの現在地から遠隔の地に配置されている製品及びその周辺の映像」を取得するための映像取得手段と、
前記映像取得手段が取得した「製品及びその周辺の映像」を、ネットワークを介して、略リアルタイムに、ネットワーク上のユーザーに提供するための映像提供手段と、
前記ネットワーク上のユーザーが、前記提供された「製品及びその周辺の映像」を画面上で閲覧しながら、前記製品についての所定の情報を送信したとき、その情報を前記製品に対応するものとして受信するための受信手段と、
前記製品の表面又は近傍の位置に配置されている告知手段であって、前記ネットワーク上のユーザーからの前記製品についての前記情報が発信されたこと又はそれが前記受信手段により受信されたことを、前記製品の表面又は近傍において、「音響、音声、光、又は画面表示などの手段」により、外部に出力するための外部出力手段と、
前記ネットワーク上のユーザーからの前記製品についての前記情報を受信したとき、その受信に基づいて、前記の受信した情報に対応する前記製品の表面又は近傍の位置に配置されている前記外部出力手段に対して、前記製品についての前記ネットワーク上のユーザーからの前記情報が送信されたこと又はそれが前記受信手段により受信されたことを、略リアルタイムに外部に出力するように、前記外部出力手段を制御するための外部出力制御手段と、
を含むことを特徴とする、製品に関する情報の受信告知システム。
【請求項８】
請求項７において、
前記映像取得手段は、前記「製品及びその周辺の映像」だけでなく、前記製品の表面又は近傍にある前記外部出力手段による出力の内容を示す映像をも取得するものであり、
前記映像提供手段は、前記「製品及びその周辺の映像」だけでなく、前記製品の表面又は近傍にある前記外部出力手段による出力の内容を示す映像をも、略リアルタイムにネットワーク上のユーザーに提供するものである、ことを特徴とする、製品に関する情報の受信告知システム。
【請求項９】
請求項８において、
前記ネットワーク上のユーザーが画面に表示された「遠隔地に在る複数の製品」の映像を画面上で閲覧しながら、それらの中の一つの製品を指定するための画面上指定手段を含み、
前記受信手段は、前記ネットワーク上のユーザーからの前記製品についての前記情報を、前記ネットワーク上のユーザーが前記画面上指定手段により指定した製品を識別するための製品識別情報と関連付けて受信するものである、ことを特徴とする、製品に関する情報の受信告知システム。
【請求項１０】
請求項９において、
前記画面上指定手段は、画面に表示された「遠隔地に在る複数の製品」の映像の中の一つの製品の映像に含まれるコード又は文字を認識することにより、前記一つの製品の製品識別情報を取得するものである、ことを特徴とする、製品に関する情報の受信告知システム。
【請求項１１】
請求項９において、
前記画面上指定手段は、前記ネットワーク上のユーザーが、画面に表示された「遠隔地に在る複数の製品」の映像を画面上で閲覧しながら、前記遠隔地に在る実際のレーザー光発生装置を遠隔制御して、前記の実際の「遠隔地に在る複数の製品」の中の一つの製品に向けて実際にレーザー光を照射させることにより、前記画面表示された「遠隔地に在る複数の製品」の映像の中の一つの製品を画面上で指定するものである、ことを特徴とする、製品に関する情報の受信告知システム。